(57)【要約】【課題】  仮設足場に設けられた交差筋交いや下桟が脱落するのを防止するとともに、布板がズレて隙間が発生するのを防止し、仮設足場の安全性を向上することができる仮設足場用安全具を提供する。【解決手段】  建枠の垂直支柱に設けられた交差筋交いピンよりも上方位置に固定される固定部と、固定部から下方に延出されて交差筋交いピンの左右両側に配置される一対の延出アームとを有し、交差筋交いおよび／または下桟の端部が交差筋交いピンから脱落するのを防止する筋交い・下桟脱落防止部材と、延出アームの下端部に設けられ布板の引掛フックの外側に垂下される係止爪と、係止爪よりも外側に延出され、その先端部が建枠の垂直支柱に当接する当接部とを有し、布板のズレを防止する布板ズレ防止部材と、を備える。【選択図】      図２
2018145702.tif 000002
【特許請求の範囲】
【請求項１】
複数の建枠と、各建枠間に取り付けられる交差筋交いおよび／または下桟と、各建枠間に支持される布板とからなる仮設足場に用いられる仮設足場用安全具であって、
前記建枠の垂直支柱に設けられた交差筋交いピンよりも上方位置に固定される固定部と、前記固定部から下方に延出されて前記交差筋交いピンの左右両側に配置される一対の延出アームとを有し、前記交差筋交いおよび／または前記下桟の端部が前記交差筋交いピンから脱落するのを防止する筋交い・下桟脱落防止部材と、
前記延出アームの下端部に設けられ前記布板の引掛フックの外側に垂下される係止爪と、前記係止爪よりも外側に延出され、その先端部が前記建枠の垂直支柱に当接する当接部とを有し、前記布板のズレを防止する布板ズレ防止部材と、
を備えた仮設足場用安全具。
【請求項２】
前記布板の両側縁部のうち、少なくとも一方に沿って幅木を設置する仮設足場に用いられる仮設足場用安全具は、さらに、
前記延出アームの下端部に設けられ前記布板の側縁部に沿って立設される外側プレートと、前記外側プレートよりも内側に所定の間隔を隔てて立設される内側プレートと、前記外側プレートの下端部と前記内側プレートの下端部とを連結する底板プレートとを有し、前記幅木を立てた状態で保持する幅木保持部材を備えている、請求項１に記載の仮設足場用安全具。
【請求項３】
前記外側プレートと前記内側プレートとの間隔は、２枚分の前記幅木の厚さと略同一寸法に形成されている、請求項２に記載の仮設足場用安全具。
【請求項４】
前記幅木保持部材は、前記布板上に前記底板プレートが載置されるように設けられている、請求項２または請求項３に記載の仮設足場用安全具。
【請求項５】
前記係止爪よりも内側に延出され、その先端部が前記布板の引掛フックの外側に当接する第２係止爪を有する、請求項１に記載の仮設足場用安全具。
【請求項６】
前記固定部は、前記建枠の垂直支柱を挟み込む略平行な一対の挟持板と、前記一対の挟持板に挿通され前記垂直支柱を囲い込む折れピンとを有している、請求項１から請求項４のいずれかに記載の仮設足場用安全具。
【請求項７】
前記一対の挟持板は、平面視において、一方が前記垂直支柱の内側に向けて斜めに屈曲されているとともに、他方は前記垂直支柱の外周を沿うように湾曲されてその先端部が前記一方の挟持板とは逆方向に向けて斜めに延出されており、前記折れピンは前記他方の挟持板の最外端部よりも外側に突出しないように挿通されている、請求項５に記載の仮設足場用安全具。
【発明の詳細な説明】
【技術分野】
【０００１】
本発明は、仮設足場における安全性を高める仮設足場用安全具に関するものである。
【背景技術】
【０００２】
従来、仮設足場で作業する作業員が誤って墜落する事故や、仮設足場から工具や資材等が落下して、下にいる人が怪我をする事故が発生している。この様な事故を未然に防ぐため、仮設足場においては、交差筋交い、下桟、幅木等の安全設備を設置することや、布板間の隙間を所定の範囲内にすることが、労働安全衛生規則によって義務付けられている。
【０００３】
例えば、特開２００４−１１２９０号公報には、２枚の布板を寄せて使用する際に発生する露出部分に嵌着し、布板の移動を防止するための、布板のズレ止めスぺーサーが開示されている（特許文献１）。
【先行技術文献】
【特許文献】
【０００４】
【特許文献１】特開２００４−１１２９０号公報
【発明の概要】
【発明が解決しようとする課題】
【０００５】
しかしながら、特許文献１に記載の発明は、単に布板間の隙間を防止するためのものに過ぎず、上述した交差筋交いや下桟の問題を解決するものではない。具体的には、交差筋交いは、一般的に、その各端部が建枠の垂直支柱に設けられた交差筋交いピンに掛止されている。しかしながら、交差筋交いピンが繰り返し使用されることによる劣化や、強風や振動等の影響により、交差筋交いが交差筋交いピンから脱落してしまうという問題がある。
【０００６】
また、仮設足場に下桟を取り付ける場合にも、上述した交差筋交いピンが用いられている。しかしながら、交差筋交いピンは元来、交差筋交いを固定するためのものである。このため、交差筋交いに加えて下桟まで取り付けると、抜け止め機構が十分に機能しなくなり、一層脱落しやすくなる。特に、下桟は両端部の２箇所でのみ取り付けられる構造であるため、一端が外れると他端がさらに外れ易くなる。このため、下桟が落下して通行人等にぶつかってしまう危険性があり、実際に、そのような事故が発生しているという問題もある。
【０００７】
本発明は、このような問題点を解決するためになされたものであって、仮設足場に設けられた交差筋交いや下桟が脱落するのを防止するとともに、布板がズレて隙間が発生するのを防止し、仮設足場の安全性を向上することができる仮設足場用安全具を提供することを目的としている。
【課題を解決するための手段】
【０００８】
本発明に係る仮設足場用安全具は、仮設足場に設けられた交差筋交いや下桟が脱落するのを防止するとともに、布板がずれて隙間が発生するのを防止し、仮設足場の安全性を向上するという課題を解決するために、複数の建枠と、各建枠間に取り付けられる交差筋交いおよび／または下桟と、各建枠間に支持される布板とからなる仮設足場に用いられる仮設足場用安全具であって、前記建枠の垂直支柱に設けられた交差筋交いピンよりも上方位置に固定される固定部と、前記固定部から下方に延出されて前記交差筋交いピンの左右両側に配置される一対の延出アームとを有し、前記交差筋交いおよび／または前記下桟の端部が前記交差筋交いピンから脱落するのを防止する筋交い・下桟脱落防止部材と、前記延出アームの下端部に設けられ前記布板の引掛フックの外側に垂下される係止爪と、前記係止爪よりも外側に延出され、その先端部が前記建枠の垂直支柱に当接する当接部とを有し、前記布板のズレを防止する布板ズレ防止部材と、を備えている。
【０００９】
また、本発明の一態様として、幅木を損傷することなく低コストで簡便かつ迅速に設置するという課題を解決するために、前記布板の両側縁部のうち、少なくとも一方に沿って幅木を設置する仮設足場に用いられる仮設足場用安全具は、さらに、前記延出アームの下端部に設けられ前記布板の側縁部に沿って立設される外側プレートと、前記外側プレートよりも内側に所定の間隔を隔てて立設される内側プレートと、前記外側プレートの下端部と前記内側プレートの下端部とを連結する底板プレートとを有し、前記幅木を立てた状態で保持する幅木保持部材を備えていてもよい。
【００１０】
さらに、本発明の一態様として、現場ごとに幅木の長さを調節する作業を省略するという課題を解決するために、前記外側プレートと前記内側プレートとの間隔は、２枚分の前記幅木の厚さと略同一寸法に形成されていてもよい。
【００１１】
また、本発明の一態様として、幅木と布板との隙間を無くして物が落下するのを防止するという課題を解決するために、前記幅木保持部材は、前記布板上に前記底板プレートが載置されるように設けられていてもよい。
【００１２】
さらに、本発明の一態様として、サイズの異なる建枠に対しても、布板のズレを適切に防止するという課題を解決するために、前記係止爪よりも内側に延出され、その先端部が前記布板の引掛フックの外側に当接する第２係止爪を有していてもよい。
【００１３】
また、本発明の一態様として、工具等を用いることなく、仮設足場の建枠に対して仮設足場用安全具を簡便かつ迅速に着脱するという課題を解決するために、前記固定部は、前記建枠の垂直支柱を挟み込む略平行な一対の挟持板と、前記一対の挟持板に挿通され前記垂直支柱を囲い込む折れピンとを有していてもよい。
【００１４】
さらに、本発明の一態様として、仮設足場用安全具が仮設足場における建地の外側にはみ出す部分を低減し、パネルやシート等を設置する際の邪魔にならないという課題を解決するために、前記一対の挟持板は、平面視において、一方が前記垂直支柱の内側に向けて斜めに屈曲されているとともに、他方は前記垂直支柱の外周を沿うように湾曲されてその先端部が前記一方の挟持板とは逆方向に向けて斜めに延出されており、前記折れピンは前記他方の挟持板の最外端部よりも外側に突出しないように挿通されていてもよい。
【発明の効果】
【００１５】
本発明によれば、仮設足場に設けられた交差筋交いや下桟が脱落するのを防止するとともに、布板がズレて隙間が発生するのを防止し、仮設足場の安全性を高めることができる。
【図面の簡単な説明】
【００１６】
【図１】本発明に係る仮設足場用安全具の第１実施形態を取り付けた仮設足場を示す全体図である。
【図２】本第１実施形態の仮設足場用安全具を示す斜視図である。
【図３】本第１実施形態における仮設足場用安全具を示す平面図である。
【図４】本第１実施形態における仮設足場用安全具を示す側面図である。
【図５】図１における、（ａ）領域Ａの拡大図、および（ｂ）領域Ｂの拡大図である。
【図６】本発明に係る仮設足場用安全具の第２実施形態を取り付けた仮設足場を示す全体図である。
【図７】本第２実施形態の仮設足場用安全具を示す斜視図である。
【図８】本第２実施形態における仮設足場用安全具を示す側面図である。
【図９】本第２実施形態における仮設足場用安全具を示す正面図である。
【図１０】図６における、（ａ）領域Ａの拡大図、および（ｂ）領域Ｂの拡大図である。
【図１１】横幅が１２００ｍｍの建枠において、（ａ）第１実施形態の仮設足場用安全具を使用した例、および（ｂ）第１実施形態の変形例に係る仮設足場用安全具を使用した例を示す図である。
【図１２】第１実施形態の変形例に係る仮設足場用安全具を示す斜視図である。
【発明を実施するための形態】
【００１７】
本発明に係る仮設足場用安全具は、仮設足場に取り付けられて、仮設足場の安全性を向上するものである。以下、本発明に係る仮設足場用安全具の第１実施形態について、図面を用いて説明する。
【００１８】
なお、本第１実施形態において、仮設足場１０は、図１に示すように、複数の建枠１１と、各建枠１１間に取り付けられる交差筋交い１２および下桟１３と、各建枠１１間に支持される布板１４とから構成されている。各建枠１１は、一対の垂直支柱１１１，１１１の上端間に水平材１１２が架設されて構成されている。そして、各垂直支柱１１１の上方および下方には、図１に示すように、交差筋交い１２および下桟１３の端部を掛け留める交差筋交いピン１５が設けられている。なお、図１では、下桟１３を使用する場合に必要となるメッシュシートは省略されている。また、以下の説明では、仮設足場１０の外部を外側とし、仮設足場１０の内部を内側としている。
【００１９】
本第１実施形態の仮設足場用安全具１Ａは、図２に示すように、主として、交差筋交い１２および下桟１３が脱落するのを防止する筋交い・下桟脱落防止部材２と、布板１４のズレを防止する布板ズレ防止部材３とを有している。以下、各構成について説明する。
【００２０】
筋交い・下桟脱落防止部材２は、交差筋交い１２および下桟１３の端部が交差筋交いピン１５から脱落するのを防止するためのものである。本第１実施形態において、筋交い・下桟脱落防止部材２は、図２に示すように、建枠１１の垂直支柱１１１に固定される固定部２１と、この固定部２１から下方に延出される一対の延出アーム２２，２２とを有している。
【００２１】
固定部２１は、建枠１１の垂直支柱１１１に設けられた下側の交差筋交いピン１５よりも上方位置に固定され、仮設足場用安全具１Ａを仮設足場１０に取り付けるためのものである。本第１実施形態において、固定部２１は、図２および図３に示すように、建枠１１の垂直支柱１１１を挟み込む略平行な一対の挟持板２３ａ，２３ｂと、この一対の挟持板２３ａ，２３ｂに挿通され垂直支柱１１１を囲い込む折れピン２４とを有している。なお、本第１実施形態において、略平行とは、厳密な平行方向に限定されるものではなく、一対の挟持板２３ａ，２３ｂの間に垂直支柱１１１を挟み込める範囲で平行に近い状態も含むものである。
【００２２】
また、本第１実施形態において、固定部２１は、仮設足場１０における建地の外側にはみ出さないように構成されている。具体的には、固定部２１は、図２および図３に示すように、金属製の板状部材の両端部が一対の挟持板２３ａ，２３ｂとして構成されており、一方の挟持板２３ａが垂直支柱１１１の内側に向けて斜めに屈曲されている。また、他方の挟持板２３ｂは垂直支柱１１１の外周を沿うように湾曲されて、その先端部が一方の挟持板２３ａとは逆方向に向けて斜めに延出されている。そして、一対の挟持板２３ａ，２３ｂには、図３に示すように、折れピン２４が、他方の挟持板２３ｂの最外端部よりも外側に突出しないように挿通されている。このため、仮設足場１０における建地の外側にはみ出す部分が低減され、パネルやシート等を設置する際の邪魔にならない。
【００２３】
なお、本第１実施形態において、折れピン２４は、丸棒の基端部を略Ｌ字状に屈曲させて形成されているとともに、先端部には、自重によって回動可能なピンが軸支されている。また、本第１実施形態において、折れピン２４は、紛失防止のため、挟持板２３ｂにワイヤやチェーン等の連結具２５で連結されている。
【００２４】
一対の延出アーム２２，２２は、交差筋交い１２および下桟１３の端部が交差筋交いピン１５から抜け落ちないようにするためのストッパーとして機能するものである。本第１実施形態において、各延出アーム２２は、図２および図４に示すように、金属製の棒状部材によって構成されており、その上端部が固定部２１の両側面に固着されている。そして、仮設足場用安全具１Ａを仮設足場１０に取り付ける際には、図５（ａ）に示すように、一対の延出アーム２２，２２が、交差筋交いピン１５の左右両側にそれぞれ配置されるように固定部２１を取り付けるようになっている。
【００２５】
これにより、各延出アーム２２は、交差筋交いピン１５に掛け留めされた交差筋交い１２または下桟１３の端部に外側から当接し、脱落を防止するようになっている。なお、本第１実施形態において、一対の延出アーム２２，２２は、布板１４をズレ止めさせたい位置に布板ズレ防止部材３が配置されるように、内側に向けてわずかに屈曲乃至湾曲されている。
【００２６】
布板ズレ防止部材３は、隣接する布板１４間に隙間が生じないように布板１４のズレを防止するためのものである。本第１実施形態において、布板ズレ防止部材３は、図２および図４に示すように、金属製の板状部材を屈曲して構成されており、布板１４の引掛フック１４１に係止される係止爪３１と、この係止爪３１が外側へ移動するのを規制する当接部３２とを有している。
【００２７】
係止爪３１は、布板１４の引掛フック１４１に係止されるものである。本第１実施形態において、係止爪３１は、図２に示すように、建枠１１の水平材１１２に嵌合する半円凹状に形成されており、延出アーム２２の下端部に設けられている。そして、仮設足場用安全具１Ａを仮設足場１０に取り付ける際には、係止爪３１を引掛フック１４１の外側に垂下させ、建枠１１の水平材１１２に嵌合させる。これにより、図５（ｂ）に示すように、係止爪３１が確実に布板１４の引掛フック１４１に係止され、布板１４のズレを防止するようになっている。
【００２８】
当接部３２は、建枠１１の垂直支柱１１１に当接し係止爪３１が外側へ移動するのを規制するためのものである。本第１実施形態において、当接部３２は、図２および図４に示すように、延出アーム２２の下端部近傍から係止爪３１よりも外側に延出されている。また、図５に示すように、当接部３２は、その先端部が建枠１１の垂直支柱１１１に当接する長さを有しているとともに、その先端部には垂直支柱１１１の外径に合わせて凹湾曲状に形成されている。これにより、当接部３２は、その先端部が垂直支柱１１１に当接されると、係止爪３１の外側への移動を規制するようになっている。
【００２９】
なお、本第１実施形態では、仮設足場用安全具１Ａの製造コストを安価に抑えるため、布板ズレ防止部材３は、一枚の金属板を屈曲させて係止爪３１と当接部３２とを一体的に構成している。しかしながら、布板ズレ防止部材３は、上記構成に限定されるものではなく、係止爪３１と当接部３２とを別部材によって構成し、別々に延出アーム２２に取り付けてもよい。
【００３０】
つぎに、本第１実施形態の仮設足場用安全具１Ａの作用について説明する。
【００３１】
本第１実施形態の仮設足場用安全具１Ａを仮設足場１０に取り付ける場合、図５に示すように、布板１４の端部に設けられた引掛フック１４１の外側に係止爪３１を差し込むとともに、固定部２１を建枠１１の垂直支柱１１１に設けられた下側の交差筋交いピン１５より上方位置に固定する。
【００３２】
これにより、図１および図５（ａ）に示すように、筋交い・下桟脱落防止部材２を構成する一対の延出アーム２２，２２が、交差筋交いピン１５の左右両側に設けられた交差筋交い１２や下桟１３の内側に配置された状態で固定される。このため、万一、交差筋交いピン１５の抜け止め機構が機能しなくなったとしても、各延出アーム２２が、交差筋交い１２または下桟１３に当接して内側への移動を規制し、交差筋交いピン１５の先端部から脱落してしまうことを防止する。
【００３３】
また、図５（ａ）に示すように、布板ズレ防止部材３を構成する係止爪３１が、布板１４の引掛フック１４１の外側に係止された状態で、当接部３２の先端部が垂直支柱１１１に当接する。このため、布板１４に外側への外力が付与されたとしても、係止爪３１が引掛フック１４１に係止して外側への移動を規制するため、布板１４のズレを防止する。また、図１に示すように、布板１４の両サイドに本第１実施形態の仮設足場用安全具１Ａを向かい合わせて設置することで、布板１４の移動自体がほぼ規制されるため、隣接する布板１４間に大きな隙間が生じてしまうこともない。
【００３４】
なお、本第１実施形態において、仮設足場用安全具１Ａを取り付ける作業は、固定部２１を構成する一対の挟持板２３ａ，２３ｂに垂直支柱１１１を挟持させた後、折れピン２４を挿入するだけでよい。一方、仮設足場用安全具１Ａを取り外す作業は、折れピン２４のロックを解除しつつ引き抜き、垂直支柱１１１から一対の挟持板２３ａ，２３ｂを取り外すだけでよい。このため、工具やボルト・ナット等は不要であり、簡便かつ迅速な着脱作業が可能となる。また、折れピン２４は、ワイヤ等の連結具２５により挟持板２３ｂに連結されているため、紛失してしまうことがない。
【００３５】
また、本第１実施形態では、一方の挟持板２３ａが垂直支柱１１１の内側に向けて斜めに屈曲されているとともに、他方の挟持板２３ｂが垂直支柱１１１の外周に沿うように湾曲されて、その先端部が一方の挟持板２３ａとは逆方向に向けて斜めに延出されている。このため、固定部２１が建地の外側にはみ出す部分は、挟持板２３ｂの厚み分だけに抑制される。そして、折れピン２４を他方の挟持板２３ｂの最外端部よりも外側に突出しないように挿通することで、仮設足場１０のパネルやシート等を設置する際の邪魔にならない。
【００３６】
さらに、本第１実施形態では、係止爪３１の先端部が半円凹状に形成されているため、建枠１１の水平材１１２に対する係止位置を位置決めしやすい。また、仮設足場用安全具１Ａの取り付け状態においては、係止爪３１の先端部が水平材１１２に嵌合するため、ぐらつきが抑制されるとともに、作業員が誤ってぶつかってしまっても簡単に外れてしまうことがない。
【００３７】
以上のような本第１実施形態の仮設足場用安全具１Ａによれば、以下の効果を奏する。
１．仮設足場１０に設けられた交差筋交い１２や下桟１３が脱落するのを防止するとともに、布板１４がずれて隙間が発生するのを防止し、仮設足場１０の安全性を向上することができる。
２．工具やボルト・ナット等を用いることなく、仮設足場１０の建枠１１に対して仮設足場用安全具１Ａを簡便かつ迅速に着脱することができる。
３．仮設足場用安全具１Ａが仮設足場１０における建地の外側にはみ出す部分を低減し、パネルやシート等を設置する際の邪魔になるのを防止することができる。
４．布板１４上の工具や資材等が布板１４の隙間から落下するのを防止でき、下にいる人にぶつかるおそれがない。
５．交差筋交い１２や下桟１３の脱落防止機能と、布板１４のズレ防止機能という２つの機能を兼ね備えているため、利便性に優れている。
６．コンパクトに設計されているため、単価が安く、持ち運びし易い。
７．仮設足場用安全具１Ａを取り付ける際に、簡単に位置決めすることができ、ぐらつきや不用意に外れてしまうことを抑制することができる。
【００３８】
つぎに、本発明に係る仮設足場用安全具の第２実施形態について説明する。なお、第２実施形態の構成のうち、上述した第１実施形態と同一もしくは相当する構成については同一の符号を付し、再度の説明を省略する。
【００３９】
本第２実施形態の仮設足場用安全具１Ｂの特徴は、図６に示すように、布板１４の両側縁部のうち、少なくとも一方に沿って幅木１６を設置する仮設足場１０に用いられるものであって、第１実施形態の仮設足場用安全具１Ａが備える交差筋交い１２や下桟１３の脱落防止機能と布板１４のズレ防止機能とに加えて、幅木１６を保持するための幅木保持機能を備える点にある。なお、幅木１６とは、布板１４の側縁部に沿って立設されて、仮設足場から作業員や工具等が墜落するのを防止するためのものである。
【００４０】
一般的に、仮設足場１０に幅木１６を設置する場合、番線や細い針金のような結束線を用いて、建枠１１に幅木１６を縛り付けることが多い。しかしながら、このような方法では、作業効率が極めて悪い上、幅木１６の損傷が激しく、寿命を縮めてしまうという問題がある。また、多くの結束線が必要となる上、使い捨てられることが多いため、コストがかかるという問題もある。本第２実施形態の仮設足場用安全具１Ｂは、上記のような問題点を解決するためになされたものである。
【００４１】
具体的には、本第２実施形態の仮設足場用安全具１Ｂは、図７に示すように、筋交い・下桟脱落防止部材２と、布板ズレ防止部材３とに加えて、布板１４の側縁部に沿って幅木１６を立てた状態で保持する幅木保持部材４を備えている。以下、第１実施形態と相違する点を中心に説明する。
【００４２】
本第２実施形態において、幅木保持部材４は、図７から図９に示すように、一対の延出アーム２２，２２の下端部に設けられている。また、幅木保持部材４は、金属製の板材を略凹状に屈曲して構成されており、布板１４の側縁部に沿って立設される外側プレート４１と、この外側プレート４１よりも内側に所定の間隔を隔てて立設される内側プレート４２と、外側プレート４１の下端部と内側プレート４２の下端部とを連結する底板プレート４３とを有している。
【００４３】
外側プレート４１は、各延出アーム２２の下端部に固定されており、その外表面には布板ズレ防止部材３が固定されている。また、底板プレート４３は、図８および図１０に示すように、外側プレート４１と内側プレート４２との間隔が、２枚分の幅木１６の厚さと略同一寸法となるように連結するようになっている。
【００４４】
また、本第２実施形態では、図８に示すように、一対の延出アーム２２，２２が内側にわずかに屈曲されている。このため、図１０に示すように、幅木保持部材４は、布板１４上に底板プレート４３が載置されるように設けられ、布板１４と幅木１６との間に隙間を発生させないようになっている。
【００４５】
一方、本第２実施形態において、係止爪３１の先端部は、図７および図８に示すように、第１実施形態のような半円凹状ではなく、略直線状に形成されている。その代わり、本第２実施形態では、図８および図９に示すように、底板プレート４３の下面から下方に延出され、建枠１１の水平材１１２を把持する把持部４４を有している。当該把持部４４は、水平材１１２の外径に合わせて形成された半円凹状に形成されている。
【００４６】
つぎに、以上の構成を備えた本第２実施形態の仮設足場用安全具１Ｂによる作用について説明する。
【００４７】
本第２実施形態の仮設足場用安全具１Ｂを仮設足場１０に取り付ける場合、図１０に示すように、引掛フック１４１の内側に把持部４４を差し込むとともに、引掛フック１４１の外側に係止爪３１を係止させた状態で、固定部２１を交差筋交いピン１５より上方位置に固定する。これにより、第１実施形態と同様、交差筋交い１２や下桟１３の脱落防止機能および布板１４のズレ防止機能が発揮されることとなる。
【００４８】
また、本第２実施形態では、図６および図１０に示すように、幅木保持部材４の外側プレート４１と内側プレート４２との間に、隣り合う幅木１６の各端部を重ね合わせて挿入する。これにより、外側プレート４１および内側プレート４２が幅木１６の各端部を両面から支持し、簡便かつ迅速に幅木１６を立てた状態で保持する。また、外側プレート４１および内側プレート４２が、２枚分の幅木１６を重畳して保持するため、現場ごとに異なる仮設足場１０に合わせて幅木１６を切断し長さを調節する必要がない。
【００４９】
さらに、本第２実施形態では、幅木保持部材４が、布板１４上に載置されるように設けられる。このため、布板１４と幅木１６との間に隙間が生じることが抑制され、作業員や工具等の落下が防止される。
【００５０】
以上のような本第２実施形態によれば、上述した第１実施形態と同様の作用効果に加えて、以下のような効果を奏する。
【００５１】
１．幅木１６を損傷することなく低コストで簡便かつ迅速に設置することができる。
２．交差筋交い１２や下桟１３の脱落防止機能および布板１４のズレ防止機能に加えて、幅木１６の保持機能という３つの機能を兼ね備えることとなり、仮設足場１０の安全性をさらに向上することができる。
３．現場ごとに幅木１６の長さを調節する必要がなく、作業の迅速化および低コスト化に寄与することができる。
４．幅木１６と布板１４との間に隙間が生じることがなく、布板１４の上から作業員はもとより、工具や資材等が落下するのを防止することができる。
【００５２】
なお、本発明に係る仮設足場用安全具は、上述した各実施形態に限定されるものではなく、適宜変更することができる。
【００５３】
例えば、上述した各実施形態では、仮設足場１０として、枠組足場に適用した例について説明したが、これに限定されるものではなく、くさび緊結式足場等のように、本発明に係る仮設足場用安全具を取り付け可能な全ての仮設足場１０に適用可能である。
【００５４】
また、上述した枠組足場に必要とされる墜落・落下防止の措置としては、以下のようなパターンが規定されている。
１．交差筋かい＋幅木
２．交差筋かい＋下桟＋メッシュシート
３．交差筋かい＋下桟・幅木と同等以上の措置
４．手すり枠＋幅木
５．手すり枠＋メッシュシート
６．手すり枠＋幅木と同等以上の措置
【００５５】
このため、第１実施形態では上記措置２を例とし、第２実施形態では上記措置１を例として説明したが、その他の措置を講じた仮設足場１０であってもよい。例えば、下桟１３を使用しない措置を講じた場合、筋交い・下桟脱落防止部材２は、筋交いの脱落のみを防止することとなる。また、上記措置６において、幅木１６と同等以上の措置として、下桟１３とメッシュシートを採用した場合、筋交い・下桟脱落防止部材２は、下桟１３の脱落のみを防止することとなる。
【００５６】
また、上述した各実施形態において、固定部２１は、仮設足場１０における建地の外側にはみ出さないように構成されているが、この構成に限定されるものではない。パネルやシート等を使用しない仮設足場１０においては、一対の挟持板２３ａ，２３ｂは、垂直支柱１１１の左右両側から略平行のまま外側に突出され、その各先端部に折れピン２４が挿通される構成であってもよい。これにより、固定部２１の構造が単純化される。
【００５７】
さらに、上述した各実施形態では、横幅が９００ｍｍの建枠１１に適用した例について説明したが、この構成に限定されるものではなく、どのようなサイズの建枠１１にも適用可能である。ただし、布板１４のサイズとの関係では、係止爪３１が適切に機能しない場合がある。例えば、横幅が１２００ｍｍの建枠１１において、第１実施形態の仮設足場用安全具１Ａを使用する場合、図１１（ａ）に示すように、一方の係止爪３１と引掛フック１４１との間に隙間が生じる場合がある。
【００５８】
そこで、図１２に示すように、係止爪３１よりも内側に延出され、その先端部が布板１４の引掛フック１４１の外側に当接する第２係止爪３３を備えた仮設足場用安全具１Ｃを使用する。これにより、図１１（ｂ）に示すように、両サイドのうち一方では、係止爪３１の先端部が、布板１４の引掛フック１４１の外側に当接し、他方では、第２係止爪３３の先端部が、布板１４の引掛フック１４１の外側に当接し、布板１４のズレを防止する。
【００５９】
また、上述した各実施形態では、仮設足場用安全具１Ａ，１Ｂ，１Ｃを金属製の金具として構成した例について説明したが、素材は金属に限定されるものではなく、高強度の樹脂材料等のように、金属と同程度の強度を有するものであれば、適宜選択してもよい。
【符号の説明】
【００６０】
１Ａ，１Ｂ，１Ｃ  仮設足場用安全具
２  筋交い・下桟脱落防止部材
３  布板ズレ防止部材
４  幅木保持部材
１０  仮設足場
１１  建枠
１２  交差筋交い
１３  下桟
１４  布板
１５  交差筋交いピン
１６  幅木
２１  固定部
２２  延出アーム
２３ａ，２３ｂ  挟持板
２４  折れピン
２５  連結具
３１  係止爪
３２  当接部
３３  第２係止爪
４１  外側プレート
４２  内側プレート
４３  底板プレート
４４  把持部
１１１  垂直支柱
１１２  水平材
１４１  引掛フック
【図１】
2018145702.tif 000003
【図２】
2018145702.tif 000004
【図３】
2018145702.tif 000005
【図４】
2018145702.tif 000006
【図５】
2018145702.tif 000007
【図６】
2018145702.tif 000008
【図７】
2018145702.tif 000009
【図８】
2018145702.tif 000010
【図９】
2018145702.tif 000011
【図１０】
2018145702.tif 000012
【図１１】
2018145702.tif 000013
【図１２】
2018145702.tif 000014
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
複数の建枠と、各建枠間に取り付けられる交差筋交いおよび／または下桟と、各建枠間に支持される布板とからなる仮設足場に用いられる仮設足場用安全具であって、
前記建枠の垂直支柱に設けられた交差筋交いピンよりも上方位置に固定される固定部と、前記固定部から下方に延出されて前記交差筋交いピンの左右両側に配置される一対の延出アームとを有し、前記交差筋交いおよび／または前記下桟の端部が前記交差筋交いピンから脱落するのを防止する筋交い・下桟脱落防止部材と、
前記延出アームの下端部に設けられ前記布板の引掛フックの外側に垂下される係止爪と、前記係止爪よりも外側に延出され、その先端部が前記建枠の垂直支柱に当接する当接部とを有し、前記布板のズレを防止する布板ズレ防止部材と、
を備えた仮設足場用安全具。
【請求項２】
前記布板の両側縁部のうち、少なくとも一方に沿って幅木を設置する仮設足場に用いられる仮設足場用安全具は、さらに、
前記延出アームの下端部に設けられ前記布板の側縁部に沿って立設される外側プレートと、前記外側プレートよりも内側に所定の間隔を隔てて立設される内側プレートと、前記外側プレートの下端部と前記内側プレートの下端部とを連結する底板プレートとを有し、前記幅木を立てた状態で保持する幅木保持部材を備えている、請求項１に記載の仮設足場用安全具。
【請求項３】
前記外側プレートと前記内側プレートとの間隔は、２枚分の前記幅木の厚さと略同一寸法に形成されている、請求項２に記載の仮設足場用安全具。
【請求項４】
前記幅木保持部材は、前記布板上に前記底板プレートが載置されるように設けられている、請求項２または請求項３に記載の仮設足場用安全具。
【請求項５】
前記係止爪よりも内側に延出され、その先端部が前記布板の引掛フックの外側に当接する第２係止爪を有する、請求項１に記載の仮設足場用安全具。
【請求項６】
前記固定部は、前記建枠の垂直支柱を挟み込む略平行な一対の挟持板と、前記一対の挟持板に挿通され前記垂直支柱を囲い込む折れピンとを有している、請求項１から請求項４のいずれかに記載の仮設足場用安全具。
【請求項７】
前記一対の挟持板は、平面視において、一方が前記垂直支柱の内側に向けて斜めに屈曲されているとともに、他方は前記垂直支柱の外周を沿うように湾曲されてその先端部が前記一方の挟持板とは逆方向に向けて斜めに延出されており、前記折れピンは前記他方の挟持板の最外端部よりも外側に突出しないように挿通されている、請求項６に記載の仮設足場用安全具。